(57)【要約】　　　（修正有）【課題】塗布対象物が写真、用紙類など軽くて動き易いものであるため、その一部箇所を片方の手の指先又は指サックを嵌めた指先で押え、その動きを止めながら他方の手で接着剤等液状物を塗布しなければならない場合において、塗布済み箇所の接着剤等液状物が押え手の指先又は指サックに移転付着するのを防止し、塗布貼付作業に伴う不快感を除去すると共に、当該指先又は指サックで続けて次の作業を行う際の二次汚染による事故の発生を防ぎ、作業効率の向上にも貢献する塗布貼付作業用指先・指サック汚染防止具を得る。【解決手段】押え手の指先又は指サックを嵌めた指先をワンタッチで迅速に着脱させることができ、かつ迅速、自在に移動させながら塗布対象物を押えることができる、シリコンゴム等剥離性樹脂を基材とするか底部に剥離処理を施した指圧具を得る。【選択図】　図１
0003098161.tif 000002
【実用新案登録請求の範囲】
【請求項１】
用紙類等軽くて動きやすい塗布対象物に接着剤等液状物を手作業で塗布する際、片手で接着剤等を塗布しつつ他方の押え手の指先で該塗布対象物が動かないようその塗布面を押圧しながら行う作業において、前記押圧の行為によって該指先又は指先に嵌めた指サックに該接着剤等液状物が移転付着するのを防止するため、該指先又は指サックを嵌めた指先に装着する下記イ〜ニの要件を全て満足する塗布面を押圧するための指圧具、又は、前記指圧具の複数個と、前記複数個の各指圧具に押え手の指先又は指サックを嵌めた指先をワンタッチで装着する際の自然な各指先の向き及び各指先間の間隔に、各指圧具の向き及び各指圧具間の間隔を適合させるための姿勢保持部と、該指圧具を持ち上げ又は摘み揚げて移動させるための握り機構又は摘み揚げ機構とからなる塗布貼付作業用指先・指サック汚染防止具。
イ．前記押圧を行うとき、被押圧面と指先又は指サックを嵌めた指先の間に介在して、前記押圧面に塗布済みの接着剤等液状物が前記指先又は指先に嵌めた指サックに移転付着するのを防ぐことができる構造体部分を具備していること。
ロ．前記指圧具が使用されていない状態で机台上に静止しているとき、前記押え手の指先又は指サックを嵌めた指先を、他方の手を借りずに、自在かつ迅速に、当該指圧具にワンタッチで着脱することが可能な構造を具備していること。
ハ．シリコンゴム等剥離性樹脂を基材とするか被押圧面と直接接触する部分に剥離処理を施したものであること。
ニ．前記姿勢保持部及び握り機構又は摘み揚げ機構を設けず１個の指圧具単独で本考案とするものの指圧具においては、当該指圧具に装着した指先と押え手の他の指とで摘み揚げることが可能な構造を有していること。
【請求項２】
指先の第一関節程度までしか入らず、指先又は指サックを嵌めた指先をその内側側壁に接触させずに出し入れすることができる程度に十分ゆとりのある内径を持った底のある筒状体である請求項１記載の指圧具を設けたことを特徴とする請求項１記載の塗布貼付作業用指先・指サック汚染防止具。
【請求項３】
請求項１記載の押え手の指先以外の前記押え手の指先又は指と掌を使って把持する構造の請求項１記載の握り機構を設けたことを特徴とする請求項１記載の塗布貼付作業用指先・指サック汚染防止具。
【請求項４】
請求項１記載の複数個の各指圧具が押え手の親指用及び人差し指用指圧具であることを特徴とする請求項１記載の塗布貼付作業用指先・指サック汚染防止具。
【請求項５】
親指用及び人差し指用両指圧具が相向き合う側にある各指圧具外縁部に対し、両指圧具間の間隔を押し広げる方向の弾性力を作用させる弾性構造体を請求項１記載の摘み揚げ機構として設けたことを特徴とする請求項１記載の塗布貼付作業用指先・指サック汚染防止具。
【請求項６】
請求項１記載の押圧を行うとき、指先又は指サックを嵌めた指先が直に押圧を加える指圧具の部分に窪みを設けるか、該窪みの表面に更に細かい凹凸を設けたことを特徴とする請求項１又は請求項２記載の指圧具。
【請求項７】
重心を低く設定することにより、いわゆる「起き上がりこぼし」の原理を応用して起立する姿勢に姿勢保持した請求項１又は請求項２記載の指圧具。
【請求項８】
弾性材、弾性構造体、蝶番機構又は回転機構等を用いて、前後、左右、前後左右又は自在に動かせるように構成した請求項１又は請求項２記載の指圧具を設けたことを特徴とする請求項１記載の塗布貼付作業用指先・指サック汚染防止具。
【考案の詳細な説明】
【０００１】
【考案の属する技術分野】
本考案は、塗布対象物が用紙類など軽いものであるため、その一部箇所を片方の手の指先又は指サックを嵌めた指先で押え動きを止めながら他方の手で接着剤等液状物を塗布する場合において、塗布済み面の接着剤等液状物が当該指先又は指先に嵌めた指サックに移転付着するのを防止すると共に、塗布貼付作業の精度及び能率の向上に役立つ塗布貼付作業用指先・指サック汚染防止具に関する。
【０００２】
【従来の技術】
例えば写真等を台紙に貼付ける手作業においては、まず▲１▼写真の裏面に接着剤を隅々までまんべんなく塗布し、つぎに▲２▼その写真を両手の指先で持ち上げ表向ける、次に▲３▼その写真を両手の指先を使って台紙上の貼付け箇所に運び、位置を調整しつつ両手の指先等で貼付けるという一連の作業を、接着剤が乾いて終わないうちに迅速かつ正確に行わなければならない。この場合、前記▲１▼の作業において、写真等が動かないように押えている指先又は指サック頭部に塗布済みの接着剤が移転付着してしまう。その結果、前記▲２▼及び▲３▼の作業において、汚してはならない写真等の表面を汚染した指先又は指サックで汚してしまうというミスをおかしてしまうことが多い。また、指先又は指サック頭部に接着剤が付着しているため、注意を払わなければならない分、作業能率が低下する。
従来、指先を汚染等から防止する用具として指サックがあるが、この場合、指サックをしていたとしても、指サック自体に接着剤が付着するため写真等を汚してしまうことに変わりはない。指サックを嵌めず指先で作業を行う場合には、指先に接着剤がこびりつき、石鹸、洗剤では洗浄できず、それをはがすのに一苦労しなければならない。
また、先行技術の中には、シリコンゴムを基材とするか頭部分に剥離処理を施した剥離性指サック（公開実用　昭和５４−３０５２４参照）がある。たしかに、シリコンゴムは接着剤と固着せず、接着剤塗布面と接着しても容易に剥がれる性質があるが、接着剤はシリコンゴムに付着はするので、この場合、剥離性指サックをしても結果は同様となる。
【０００３】
【考案が解決しようとする課題】
接着剤等液状物を塗布する手作業において、塗布対象物が写真や用紙類など軽くて動きやすいものである場合には、利き手で接着剤等を持ち、もう一方の手の指先又は指サックを嵌めた指先で当該塗布対象物を押圧し、動かないようにしてから接着剤等の塗布作業を行う。このとき、既に塗布済みの箇所を少なくとも一回は指先で押えないとまんべんなく全面に塗布することができない。
その結果、指先又は指サックに接着剤等液状物が移転付着し不快であるだけでなく、続く作業に支障を生じ、作業能率の低下を来たすことになるという問題点があった。
【０００４】
本考案は、接着剤等液状物の塗布対象物が写真や用紙類など軽くて動きやすいものである場合にも、塗布貼付け作業中に押え手の指先又は指サックが当該接着剤等液状物で汚染されず、かつ塗布貼付作業の精度及び能率の向上に役立つ塗布貼付作業用指先・指サック汚染防止具を提供することを目的としている。
【０００５】
【課題を解決するための手段】
上記目的を達成するため、本考案の塗布貼付作業用指先・指サック汚染防止具においては、指先又は指サックを嵌めた指先がワンタッチかつ迅速に着脱でき、自在に指先を運ぶことができる指圧具により塗布対象物を押える構造とすることにより、また該指圧具の基材にシリコンゴム等剥離性樹脂を用いるか被押圧面を直に押圧する部分に剥離処理を施すことにより、使い勝手の良さと作業の迅速性を確保することができる。
【０００６】
本考案の第一のポイントは、指圧具への押え手指先又は指サックを嵌めた指先の着脱動作が他方の手を借りずにワンタッチで迅速自在に行えることである。
そのため、例えば親指用と人差し指用の指圧具を用いる該考案の場合、該両指圧具が机台上で静止しているときの姿勢は、押え手の指先をワンタッチで装着し易い垂直姿勢か押え手が接近してくる方向に傾けた待機姿勢であることが必要である。また、両指圧具間の間隔は、親指の指先と人差し指の指先が通常取り得る自然な間隔を維持していることが必要である。
また、前記の場合において該指圧具が請求項２記載の底のある筒状体である場合にも同様であり、特に指先又は指サックを嵌めた指先をワンタッチで抵抗なく差し入れたり引き抜いたりできる程度に、筒状体の内径にゆとりをもたせることが必要である。
【０００７】
第二のポイントは、指先又は指サックを嵌めた指先を指圧具に装着したまま、押え手だけで自在かつ迅速に指圧具を持ち上げ、移動させることができることである。その手段として例えば次の四つの方法がある。
▲１▼　請求項３記載の握り機構を設ける方法。
▲２▼　請求項５記載の摘み揚げ機構を設ける方法。
▲３▼　指先又は指サックを嵌めた指先で各指圧具間の間隔を狭め、両指圧具外縁部の一部を接触させて重ね、両側から各指先で押し、両指先で摘み揚げ、移動させる方法。
▲４▼　１個の指圧具単独で本考案とするものにあっては、装着した指先と押え手
の他の指先で該指圧具の一部を挟み、摘み揚げ移動させる方法。
【０００８】
前記▲１▼の方法では、握り機構を柄の形にすれば最も握り易くなる。この柄の形の握り機構の長所は、各指圧具の静止姿勢を垂直又は押え手が接近してくる方に傾斜させた待機姿勢に保持するためのつっかえ棒の手段として兼用させることができることである。
前記▲２▼の方法については、この方法を採用した本考案品の使用方法で説明すると、まず、本考案品が使用されず机台上で静止している状態では、該弾性構造体の弾性力はゼロ又はそれに近い状態にある。即ち、弾性構造体が伸び切るかそれに近い状態である。次に、両指圧具間の間隔を狭める方向の力を両指先に加えると、その力が該弾性構造体に作用して指先の力と反対方向の弾性力が、このとき各指先側面が接している各指圧具外縁部の夫々反対側に作用するため、両指先で両指圧具を摘み揚げ、移動させることができる。
前記▲３▼の方法は、請求項１記載の握り機構を具備せず、２個の指圧具を有し、かつ両指圧具が取り得る最大の間隔を比較的短かく設定した構造の本考案に適用するものである。
前記▲４▼の方法では、通常、親指指先を筒状体の指圧具に装着し、人差し指指先とで該指圧具の縁部を挟んで摘み揚げて移動させるか、又は人差し指指先を筒状体の指圧具に装着し、親指と中指の指先で当該指圧具を両側から挟んで摘み揚げて移動させる。
【０００９】
第三のポイントは、指圧具を持ち上げる際、指圧具の底が接着剤塗布面から容易に剥がれ粘つかないことである。そのための手段としては、請求項１に記載する如く、指圧具の基材にシリコンゴムを用いるか被押圧面と直接接触する部分に剥離処理を施すことである。
【００１０】
第四のポイントは、指圧具を指先で押圧したとき、指先が指圧具にフィットし安定することである。そのための手段は、請求項６に記載する指圧具を設けることである。
【００１１】
【考案の実施の形態】
考案の実施の形態を実施例にもとずき図面を参照して説明する。
図１に示される実施例では、シリコンゴムを基材とする親指用指圧具１と人差し指用指圧具２を同じくシリコンゴムを基材とする請求項５記載の弾性構造体３に取り付ける。請求項３記載の握り機構としてシリコンゴムを基材とする柄４を前記３の中央に一体的に取り付ける。両指圧具間の間隔は、両指先を無理をしない程度に自然に広げた間隔とする。柄４の長さは中指と薬指の２本の指が掛かる程度の短い柄で十分である。柄４は握り機構としてだけでなく、両指圧具の静止姿勢を起立姿勢に保持するためのつっかえ棒の役割を果たす。この実施例では弾性構造体３と柄４は共に両指圧具の姿勢保持部を形成している。
指圧具の底部５、６は少し厚めにしてクッション性を良くし、内部底の指先が当たる中央部付近に浅い窪み７、８を設ける。更に、窪みの表面に細かい凹凸を設ければ一層指先のフイット性、安定性が良くなる。
【００１２】
図１において、この実施例では摘み揚げ機構としての弾性構造体３を設けているので、握り機構としての柄４は必須ではなく、柄を設けない構造のものも考えられる。
【００１３】
また、この実施例の弾性構造体３は必ずしもシリコンゴム等の弾性材である必要はなく、可撓性を有するプラスチックその他の素材であってもよい。また柄４については、シリコンゴム以外の他の素材であってもよい。
【００１４】
この実施例では指圧具全体をシリコンゴムとしているが、底部或いは塗布面を押圧する部分のみをシリコンゴム等により剥離処理する方法もある。
【００１５】
図６は、図１に示される実施例において、両指圧具間の間隔を狭めた状態の正面図である。
【００１６】
図７に示される実施例は、請求項１記載の要件ニに該当する指圧具の実施例である。即ち、１個の指圧具単独をもって本考案とするものの実施例である。この形態の本考案品の使用方法は、まず▲１▼押え手のいずれか一本の指を指圧具に挿入し、次に▲２▼挿入した指先と押え手の他の指とで指圧具外縁部を掴み、指圧具を自在に移動させて使用する。通常は、押え手の親指又は人差し指を指圧具に挿入する。この実施例はまた、請求項７記載の指圧具の実施例でもある。
【００１７】
図８は、図７に示される実施例の平面図である。この場合、請求項６記載の細かい凹凸１０を設けている。
【００１８】
図９に示される実施例は、段落番号０００７の▲３▼号に説明する方法の実施例である。両指圧具１１、１２及び両指圧具を繋ぐ可撓性のある連結部１３の構成全体に請求項１記載の摘み揚げ機構としての機能をもたせた該考案の実施例である。
また、請求項７記載の指圧具を使用するのに適した形態でもある。
【００１９】
図１０及び図１１に示される実施例は、請求項６記載の指圧具の縦断面図である。図１０は請求項６記載の窪み１６を設けたものであり、図１１は同記載の窪みの表面に細かい凹凸１９を設けたものである。
【００２０】
【考案の効果】
本考案は、以上説明したように構成されているので、以下に記載されるような効果を奏する。
【００２１】
本考案の塗布貼付作業用指先・指サック汚染防止具（以下「該考案」という。）を使用することにより、塗布対象物が用紙類など軽くて動き易いものであるため、その一部箇所を片方の手の指先又は指サックを嵌めた指先で押え、動きを止めながら他方の手で接着剤等液状物を塗布しなければならない場合において、塗布済み箇所の接着剤等液状物が指先又は指サックに移転付着するのを防止することにより、塗布貼付作業に伴う不快感を除去すると共に、当該指先又は指サックで続けて次の作業を行う際の二次汚染を防ぎ、塗布貼付作業の精度及び能率向上に役立てることができる。
【００２２】
例えば、写真を台紙に貼付ける手作業の場合、汚してはならない大切な写真を前記の二次汚染で汚してしまうことは度々あるが、該考案品を使用することによりその様な事故を防ぐことができる。
【００２３】
指先や指サックに付着した、接着剤や塗料は通常の石鹸、洗剤では洗浄できず、特別な溶剤で拭わないと洗浄できない。該考案品を使用する場合には、このような溶剤及び指サックを購入し準備して置く必要もなく経済的である。また溶剤の常時使用は指先の安全衛生上からも好ましいとはいえず、該考案品を使用することでその弊害を避けることができる。
【図面の簡単な説明】
【図１】塗布貼付作業用指先・指サック汚染防止具の実施例の使用中の斜視図である。
【図２】塗布貼付作業用指先・指サック汚染防止具の実施例の斜視図である。
【図３】塗布貼付作業用指先・指サック汚染防止具の実施例の平面図である。
【図４】塗布貼付作業用指先・指サック汚染防止具の実施例の側面図である。
【図５】塗布貼付作業用指先・指サック汚染防止具の実施例の正面図である。
【図６】両指圧具間の間隔を狭めた状態の図２の塗布貼付作業用指先・指サック汚染防止具の正面図である。
【図７】請求項１記載の要件ニに該当する指圧具の実施例の斜視図である。
【図８】図７に示される実施例の平面図である。
【図９】段落番号０００７の▲３▼号に説明される方法を採用した実施例の斜視図である。
【図１０】請求項６記載の指圧具の実施例の縦断面図である。
【図１１】請求項６記載の指圧具の実施例の縦断面図である。
【符号の説明】
１、２、９、１１
１２、１４、１７　指圧具
３　弾性構造体
４　柄
５、６、１５、１８　底部
７、８、１６　窪み
１０、１９　細かい凹凸
１３　連結部
【図１】
0003098161.tif 000003
【図２】
0003098161.tif 000004
【図３】
0003098161.tif 000005
【図４】
0003098161.tif 000006
【図５】
0003098161.tif 000007
【図６】
0003098161.tif 000008
【図７】
0003098161.tif 000009
【図８】
0003098161.tif 000010
【図９】
0003098161.tif 000011
【図１０】
0003098161.tif 000012
【図１１】
0003098161.tif 000013
【手続補正書】
【提出日】平成15年6月6日(2003.6.6)
【手続補正１】
【補正対象書類名】明細書
【補正対象項目名】全文
【補正方法】変更
【補正の内容】
【考案の詳細な説明】
【実用新案登録請求の範囲】
【請求項１】用紙類等軽くて動き易い塗布対象物に接着剤等液状物を手作業で塗布する際、押え手の指先で塗布対象物が動かないようその塗布面を押えながら他方の手で接着剤等を塗布していく作業において、前記指先又は指先に嵌めた指サックに当該接着剤等液状物が移転付着するのを防止するため前記指先又は指サックを嵌めた指先に装着する押え具であって、押え手の一本の指の第一関節程度までしか入らず、かつ装着する一本の指先又は指サックを嵌めた指先をその内側側壁に接触させずに出し入れすることができる程度に十分ゆとりのある内径を持った底のある筒状体である押え具１個又は連結する２個よりなり、かつ、前記押え具の、基材又は被塗布面を押える際、被塗布面に直に接触する底部外表面の素材にシリコーンゴム等の弾力性のある剥離性樹脂を用いるか、前記剥離性樹脂又はその他のゴム材を素材とした前記押え具底部外表面に多数の細かい突起又は凹凸を設けるなどの剥離処理を施したことを特徴とする糊つけ押え具。
【請求項２】押え手親指指先に装着する請求項１記載の押え具１個及び押え手の親指以外の他の指の指先に装着する請求項１記載の押え具１個の計２個の押え具と、前記各押え具の一部と連結し、両押え具間の間隔を一定の間隔になるまで押し広げる方向の弾性力を作用させる弾性構造体と、からなることを特徴とする請求項１記載の糊つけ押え具。
【請求項３】請求項２記載の弾性構造体の形状を２本足の摘み挟みの形状とし、夫々の足の先端部に各１個の押え具を取付けたことを特徴とする請求項２記載の糊つけ押え具。
【請求項４】請求項３記載の２本足の摘み挟み形状の弾性構造体の中央、頭頂部付近に押え具が倒れるのを防ぐつっかえ棒として、棒状の柄を斜め下向きに取り付けたことを特徴とする請求項３記載の糊つけ押え具。
【請求項５】請求項１記載の押え具の筒状体内部底において、装着した指先の爪先が当たる箇所に窪みを設けるか当該箇所に多数の細かい突起又は凹凸を設けたことを特徴とする請求項１記載の糊つけ押え具。
【請求項６】請求項１記載の底のある筒状体の底部の形状をお椀形或いは凸面側を下向きにした球形面等の凸面体とし、かつ筒状を形成する部分に比べて底部の厚さを大きくするなどにより筒状体の重心を低く設定することにより、いわゆる「起き上がりこぼし」のように倒されても自分で起き上がり常時起立姿勢をとる底のある筒状体を押え具として用いたことを特徴とする請求項１記載の糊つけ押え具。
【請求項７】請求項１記載の底のある筒状体の筒状部分に相当する部分の形状が筒状以外の形状であるか、筒状部分が無く押え手の指先を当てがい押圧する底部に相当する底状体のみの形状である押え具を用いたことを特徴とする請求項１又は請求項２記載の糊つけ押え具。
【考案の詳細な説明】
【０００１】
【考案の属する技術分野】
本考案は、塗布対象物が用紙類等の軽いものであるため、押え手指先で塗布対象物が動かないように押えながら他方の手で接着剤等液状物を塗布する際に、押え手の指先に装着して使用する糊つけ押え具に関する。
【０００２】
【従来の技術】
例えば、写真を台紙に貼付ける手作業においては、まず▲１▼写真の裏面に接着剤を隅々までまんべんなく塗布し、つぎに▲２▼写真を両手の指先で持ち上げ表向ける、次に▲３▼写真を両手の指先を使って台紙の貼付け箇所に運び、位置を調整しながら両手の指先等で貼付けるという一連の作業を接着剤が乾いてしまわないうちに迅速、正確に行わなければならない。このとき前記▲１▼の作業において、写真が動かないように押えている指先又は指サックに塗布済みの接着剤が移転付着してしまうことになる。その結果として、前記▲２▼及び▲３▼の作業の途中で、汚してはならない写真の表面を指先又は指サックに付着している糊で汚してしまうことがよくある。先行技術の中にはシリコーンゴムを基材とした剥離性指サック（公開実用、昭和５４−３０５２４参照）があるが、形状や装着方法は従来の普通の指サックと変わりがない。またシリコーンゴム等剥離性樹脂は接着剤と固着しないが付着はするため、前述の作業において剥離性指サックを使用したとしてもその指サック自体に糊が付着してしまうので、写真の表面を汚してしまうことに変わりはない。
【０００３】
【考案が解決しようとする課題】
接着剤等液状物を塗布する手作業において、塗布対象物が写真や用紙類など軽くて動きやすいものである場合には、利き手で接着剤等を持ち、もう一方の手（押え手）の指先又は指サックを嵌めた指先で塗布対象物が動かないように押えながら接着剤等を塗布していくが、塗布面にまんべんなく塗布しようとすれば、少なくとも一回は塗布済みの箇所を指先で押えなければならない。その結果、指先又は指サックに接着剤等が移転付着し、当該指先を使って行う次の作業に支障が生じ、作業能率の低下をきたすという問題点があった。
【０００４】
本考案は、接着剤等液状物の塗布対象物が写真や用紙類など軽くて動きやすいものである場合に、塗布貼付け作業中に押え手の指先又は指サックに当該塗布面から接着剤等液状物が移転付着するのを防ぎ、また作業能率の向上にも役立つ糊つけ押え具を提供することを目的としている。
【０００５】
【課題を解決するための手段】
上記目的を達成するため、本考案の糊つけ押え具においては、押え手の指先又は指サックを嵌めた指先をワンタッチかつ迅速に着脱させることができ、また当該指先を含めた押え手の指先で自在に運べる構造を有する糊つけ押え具を、シリコーンゴム等の弾力性を有する剥離性樹脂を基材とするか、当該押え具底部に剥離処理を施すことにより得るものである。
【０００６】
本考案の第一のポイントは、押え具への押え手指先又は指サックを嵌めた指先の着脱が他方の手を借りずにワンタッチかつ迅速に行えることである。
この課題は、まず▲１▼押え具の構造を請求項１に記載する底のある筒状体とするか請求項７に記載する押え具とすることにより、次に▲２▼請求項６に記載の常時起立姿勢をとる構造の押え具を用いることにより、また▲３▼請求項２に記載の弾性構造体を用いて２個の押え具相互間の間隔を常にワンタッチ装着に最も好適な間隔に設定維持することにより、また▲４▼２個の押え具を備えた請求項３記載の糊つけ押え具に請求項４に記載する柄を取り付けて机台上に待機中は常時起立姿勢が保てるようにすることにより解決することができる。
【０００７】
第二のポイントは、指先又は指サックを嵌めた指先を押え具に装着したまま、押え手のみで自在かつ迅速に当該押え具を持ち上げ移動させることができることである。
この課題は、まず▲１▼底のある筒状体１個よりなる糊つけ押え具にあつては、当該筒状体に装着する指先を含む押え手指先の複数の指先で前記筒状体の筒状部分を摘み上げることにより、次に▲２▼底のある筒状体２個を接合又は近接して連結させた糊つけ押え具にあっては、当該接合又は近接する両筒状部分を各挿入した両指先で挟んで摘み上げるか、押え手の他の指先を筒状体外側に添えて持ち上げ移動させることにより、また▲３▼請求項２、請求項３又は請求項４に記載する構造とすることによって、両押え具間の間隔を押し広げようとする弾性構造体の弾性力と両押え具に挿入した指先が加える同じく間隔を押し縮めようとする指先の力とにより当該各糊つけ押え具を挟んでもち上げ移動させることにより解決できる。また、請求項７記載の押え具２個を近接又は接合させた糊つけ押え具の場合は、両押え具に装着した２本の指先で摘み上げることができる両押え具と連結した摘み部を前記近接又は接合する位置に設けることにより解決することができる。
また、請求項４に記載する柄は、つっかえ棒としての役割だけでなく、糊つけ押え具を持ち上げ移動させる際に、押え手の中指又は薬指をこの柄に掛けて用いることにより糊つけ押え具の運びを一層安定させることができる。
【０００８】
第三のポイントは、押え具を持ち上げて移動させる際、押え具の底面が接着剤塗布面と粘つかずに容易に剥がれることである。
この課題は、押え具の基材又は押え具底部の素材にシリコーンゴム等の弾力性のある剥離性樹脂を用いるか、前記剥離性樹脂又はその他のゴム材を素材とする押え具底部表面に多数の細かい突起又は凹凸を設けるなどの剥離処理を施すことにより解決することができる。
【０００９】
第四のポイントは、指先で押え具を押圧したとき、当該指先が押え具にフィットし安定することである。
この課題は、請求項１又は請求項７に記載する押え具に請求項５記載の窪み或いは多数の細かい突起又は凹凸を設けることにより解決することができる。
【００１０】
【考案の実施の形態】
考案の実施の形態を実施例にもとずき図面を参照して説明する。
図１に示される実施例は、請求項４に記載する糊つけ押え具の使用中の実施例である。押え手の親指指先に装着する請求項１記載の押え具１と押え手の親指以外の他の指の指先に装着する同じく押え具２を、請求項４記載の２本足の摘み挟み形状の弾性構造体３の両足の先端部に夫々固着する。前記弾性構造体の素材はシリコーンゴムその他のゴム材又は可撓性を有するプラスチックであることが望ましい。弾性構造体３の中央、頭頂部に請求項４記載の柄４を斜め下向きに取り付ける。柄４の長さは中指１本が掛けられる程度で十分である。また柄４の素材は合成ゴム、シリコーンゴム等の弾力性、可撓性のあるものが望ましい。押え具１、２の内側底部５、６の、夫々指先の爪先が当たる箇所に浅い窪み７、８を設ける。この場合窪みの代わりに多数の突起又は凹凸を設けてもよい。
押え具の底部５、６は、押え具の他の部分に比べて厚みを持たせることにより、内側底部の窪みをつけ易くすると共に押圧時の指先に対するクッション性を良くする。
更に、両押え具の底部５、６の外形形状を凸面側が下向きの球形面状にしている。
【００１１】
図６は、図２に示される実施例の両押え具間の間隔をある程度狭くしたときの状態の正面図である。
【００１２】
図７に示される実施例は、請求項１記載の底のある筒状体である押え具１個よりなる糊つけ押え具９の斜視図である。底のある筒状体１個よりなる押え具の場合は、請求項６に記載する常時起立姿勢をとる押え具とすることが必須である。この形状の糊つけ押え具の使用方法は、まず▲１▼押え手のいずれか一本の指先を押え具筒状内に装着し、次に▲２▼装着した指先と押え手の他の指先とで共同して筒状部分を摘み上げ自在に移動させ、押えたい箇所に押え具を運び、次に▲３▼装着した指先で押え具の内側底部を押圧することにより、用紙等塗布対象物が動かないように押えることができる。
【００１３】
図８は図７に示される実施例の平面図である。内側底表面の浅い窪みの中に多数の細かい突起１０を設けている。
【００１４】
図９に示される実施例は、近接する押え具２個を連結部１３で連結した糊つけ押え具の実施例である。連結部１３の素材はシリコーンゴムや合成ゴム等の弾力性のあるもの又は可撓性のあるプラスチックなどが適している。
この場合、連結部１３を設けずに２個の押え具を並列的に直接接合させた形状の糊つけ押え具としてもよい。
また前記の形状の糊つけ押え具の場合は、押え具１個よりなる糊つけ押え具の場合と同様、請求項６に記載する常時起立姿勢をとる押え具を用いることが必須である。
この形状の糊つけ押え具の使用方法は、通常は親指と人差し指の指先を夫々の押え具に装着し、移動させるときは接合又は近接させた筒状部分を装着した２本の指先で摘んで持ち上げ、移動させる。
【００１５】
図１０は、請求項１に記載する底のある筒状体である押え具の縦断面図である。
この例では、内側底部１５に窪み１６を設けている。
図１１は、図１０に示される押え具の内側底部の窪み１６の中に更に多数の細かい突起１９を設けた押え具の縦断面図である。
【００１６】
図１２に示される実施例は、請求項７に記載する筒状部分に相当する部分の形状が筒状以外の形状である押え具２個２０、２１を用いた糊つけ押え具の実施例の斜視図である。
これは、底のある筒状体の筒状部分の一部が欠落した形状の押え具２個を接合した形状になっている。この例では、爪先の当たる箇所に窪み２３と多数の細かい突起２４を設け、底部底面にも多数の細かい突起２５を設けている。
使用方法は、各押え具に装着した２本の指先で摘み部２２を摘んで移動させる。
【００１７】
図１３及び図１４に示される実施例は、請求項７に記載する底状体のみの形状である押え具を用いた糊つけ押え具の実施例の斜視図である。これらの実施例では、押え具の底面に多数の細かい突起３２、３８を設け、また指先の爪先が当たる箇所に窪み３０、３６と多数の細かい突起３１、３７を設けている。使用方法は、図１３に示される実施例については図１に示される実施例と同様でり、図１４に示される実施例については、各押え具に装着した２本の指先で摘み部３５を摘んで移動させる。
【００１８】
【考案の効果】
本考案は、以上説明したように構成されているので、以下に記載されるような効果を奏する。
【００１９】
用紙類や写真などの裏面に全面糊つけするとき、通常、押え手の親指と人差し指の指先で糊つけ面が動かないように押えながらもう一方の手で糊を塗布していく。このとき、糊つけ面に塗布済みの糊が押え手の指先にべとつき、作業がやりにくく、また両指先に糊がこびりつくため、その指先で写真等のおもて面を作業中に汚してしまうことが多い。また通常の指サックを嵌めて作業した場合にも同様の問題点が生じる。本考案の糊つけ押え具を使用することにより、このような問題点を解決することができる。
【図面の簡単な説明】
【図１】糊つけ押え具の実施例の使用中の斜視図である。
【図２】図１に示される実施例と同じ実施例の斜視図である。
【図３】図２に示される実施例の平面図である。
【図４】図２に示される実施例の側面図である。
【図５】図２に示される実施例の正面図である。
【図６】両押え具間の間隔を狭めた状態の図２に示される実施例の正面図である。
【図７】糊つけ押え具の実施例の斜視図である。
【図８】図７に示される実施例の平面図である。
【図９】糊つけ押え具の実施例の斜視図である。
【図１０】一個の押え具よりなる糊つけ押え具の実施例の縦断面図である。
【図１１】一個の押え具よりなる糊つけ押え具の実施例の縦断面図である。
【図１２】糊つけ押え具の実施例の斜視図である。
【図１３】糊つけ押え具の実施例の斜視図である。
【図１４】糊つけ押え具の実施例の斜視図である。
【符号の説明】
１、２、９、１１、１２、１４、１７、２０、２１、
２６、２７、３３、３４　押え具
３、２８　弾性構造体
４、２９　柄
５、６、１５、１８　底部
７、８、１６、２３、３０、３６　窪み
１０、１９、２４、２５、
３１、３２、３７、３８　細かい突起
１３　連結部
２２、３５　摘み部
【手続補正２】
【補正対象書類名】図面
【補正対象項目名】全図
【補正方法】変更
【補正の内容】
【図１】
0003098161.tif 000014
【図２】
0003098161.tif 000015
【図３】
0003098161.tif 000016
【図４】
0003098161.tif 000017
【図５】
0003098161.tif 000018
【図６】
0003098161.tif 000019
【図７】
0003098161.tif 000020
【図８】
0003098161.tif 000021
【図９】
0003098161.tif 000022
【図１０】
0003098161.tif 000023
【図１１】
0003098161.tif 000024
【図１２】
0003098161.tif 000025
【図１３】
0003098161.tif 000026
【図１４】
0003098161.tif 000027